(57)【要約】【課題】本発明はＲＦスイッチを備えた小型同軸コネクタを提供する。 【解決手段】外部導体１７の被覆されたハウジング１０が上部ハウジング１１と下部ハウジング１２で構成され、上部ハウジング１１にはＲＦ回路に接続される固定端子２１がインサート成形で設けられてプラグの中心導体の挿入によってＲＦ回路を断続し、下部ハウジング１２には固定端子２１と断続または接触する可動端子２５がインサート成形で設けられ、可動端子２５は下部ハウジング１２に固定された固定部２６で水平方向について９０°より小さい第１曲げ角(α１)で上向きに傾斜させて延びて下部ハウジング１２に成形された湾曲部２７と、前記湾曲部２７の先端で再び水平方向について前記第１曲げ角(α１)より小さい第１曲げ角(α１)でベンディングされ、ハウジング１０の内側空間部１５に露出されるよう延びて固定端子２１と弾力的に接する弾性片２８とからなる。【選択図】図３
2006032307.tif 000002
【特許請求の範囲】
【請求項１】
同軸プラグの中心導体(Ｐ)が挿入される孔１３を有するハウジング１０と、該ハウジング１０の外側に設けられた外部導体１７と、前記ハウジング１０に固定された固定端子２１と、前記ハウジング１０の孔１３の下方に弾力的に設けられ前記同軸プラグの中心導体(Ｐ)から力を受けない場合は前記固定端子２１と接触し、前記同軸プラグの中心導体(Ｐ)によって加圧される場合前記固定端子２１と分離され信号回路を切り換させる可動端子２５を具備するスイッチング機構２０を含むＲＦスイッチを備えた同軸コネクタにおいて、
前記ハウジング１０は上部ハウジング１１と下部ハウジング１２が互いに組み立てられ構成され、前記上部ハウジング１１は前記同軸プラグの中心導体(Ｐ)の挿入される孔１３が中心軸方向に形成された上部絶縁体１４と、前記上部絶縁体１４の一側側壁から長手方向に沿って下方に延びて内側に空間部１５を形成するスカート部１６を含み、前記下部ハウジング１２はベース部１８と、前記上部ハウジング１１のスカート部１６と共に前記空間部１５を取り囲む環状の側壁を形成するよう前記ベース部１８から長手方向の上方に延びた側壁部１９とを含み、
前記固定端子２１は前記上部ハウジング１１が金型で射出成形時上部先端が前記空間部１５に露出されるよう前記スカート部１６の内部にインサート成形によって設けられ、前記可動端子２５は前記下部ハウジング１２が金型で射出成形される際側壁部１９の内部にインサート成形で設けられることを特徴とするＲＦスイッチを備えた同軸コネクタ。
【請求項２】
前記可動端子２５は、前記下部ハウジング１２に固定保持される固定部２６と、前記固定部２６で水平方向について９０°より小さい第１曲げ角(α１)に上向きに傾斜して延びて下部ハウジング１２に成形された湾曲部２７と、該湾曲部２７の先端で再び水平方向について前記第１曲げ角(α１)より小さい第２曲げ角(α２)でベンディングされ、前記ハウジング１０の空間部１５に露出されるよう延びて前記固定端子２１と弾力的に接する弾性片２８よりなることを特徴とする請求項１に記載のＲＦスイッチを備えた同軸コネクタ。
【発明の詳細な説明】
【技術分野】
【０００１】
本発明は同軸コネクタに係り、さらに詳しくは携帯電話のような移動通信端末機の回路基板に実装され、プラグコネクタの中心導体が組み立てられる場合ＲＦ回路を断続するスイッチが備えられた同軸コネクタに関する。
【背景技術】
【０００２】
携帯電話のような携帯用通信機器には高周波回路の検査のためのＲＦスイッチが備えられた同軸コネクタが使われている。このようなＲＦスイッチが備えられた同軸コネクタの一例として、特許文献１が知られている。 
【０００３】
前記従来の同軸コネクタ１００は図１に示したように、同軸プラグ１１０の中心導体１１１が挿入される孔１０１を有する絶縁ハウジング１０２と、その絶縁ハウジング１０２の外側に設けられた外部導体１０３と、前記絶縁ハウジング１０２の孔１０１の下方に設けられた固定端子１０４及び可動端子１０５を備え、前記固定端子１０４は接触部１０６を備え、前記可動端子１０５は前記絶縁ハウジング１０２に固定された固定部１０７と、前記同軸プラグ１１０の中心導体１１１と接する弾性部１０８よりなって前記中心導体１１１を孔１０１に挿入すれば前記弾性部１０８が接触部１０６から取れて信号回路を切り換させる。
【０００４】
ところが、前記従来の同軸コネクタは携帯電話の小型化に伴ってサイズが極小型化している。この極小型の同軸コネクタを組み立てる際、別に成形された可動端子や固定端子を絶縁ハウジングに具備された溝や孔に嵌合して組み立てることによって、組立後回路基板に表面実装する際フラックスが絶縁ハウジングの溝と端子との間隙を介して端子側に流れ込まれて端子間接触不良を引き起こす問題点があり、また極小型部品同士を組み立てし難いので不良発生率が高くなり、組立工数が増えて組立生産性が低下する短所がある。
【０００５】
また、前述した従来の同軸コネクタは、図１に示した通り、固定端子１０４が下部の絶縁ハウジング１０９で大きい曲げ角("コ"形態)で折り曲げられた状態に固定され弾性部１０８を支持するので同軸プラグ１１０の中心導体１１１によって力を受けてスイッチング作動を行なう時前記ベンディング部分で大きい応力を繰り返して受けることによってバネ力を失いやすくて寿命が縮まる短所があった。
【特許文献１】日本特開２００３-１２３９１５号
【発明の開示】
【発明が解決しようとする課題】
【０００６】
本発明は前述した従来の同軸コネクタが持つ短所を解決するために案出されたもので、その目的は簡単な組み立てによって組立生産性を向上させ、端子に働く応力を減らして製品の耐久性を改善した同軸コネクタを提供するところにある。
【課題を解決するための手段】
【０００７】
前述した目的を達成するための本発明は同軸プラグの中心導体が挿入される孔を有する絶縁ハウジングと、該絶縁ハウジングの外側に設けられた外部導体と、前記絶縁ハウジングに固定された固定端子と、前記絶縁ハウジングの孔の下方に弾力的に設けられ前記同軸プラグの中心導体から力を受けない場合は前記固定端子と接触し、前記同軸プラグの中心導体によって加圧される場合、前記固定端子と分離され信号回路を切り換させる可動端子よりなるスイッチング機構を含むＲＦスイッチを備え、前記絶縁ハウジングは上部ハウジングと下部ハウジングが互いに組み立てられて構成され、前記上部ハウジングは前記同軸プラグの中心導体の挿入される孔が中心軸方向に形成された上部絶縁体と、前記上部絶縁体の一側側壁で長手方向に沿って下方に延びて内側に空間部を形成するスカート部よりなり、前記固定端子は前記上部ハウジングが金型で射出成形時上部先端が前記空間部に露出されるよう前記スカート部の内部にインサート成形で備えられ、前記下部ハウジングはベース部と、前記上部ハウジングのスカート部と共に前記空間部を取り囲む環状の側壁を形成するよう前記ベース部から長手方向の上方に延びた側壁部よりなり、前記可動端子は前記下部ハウジングが金型で射出成形される時下端側壁部の内部にインサート成形で設けられた固定部と、該固定部から前記空間部の内側に延び上端に前記固定端子の底面と弾力的に接する接触部を備えた弾性片よりなる。
【０００８】
前述したように構成された本発明の同軸コネクタは絶縁ハウジングの射出成形時可動端子と固定端子をインサート成形で絶縁ハウジングに挿設するので別の組立工程を要しなくて組立生産性をアップさせられ、未熟練者の組立作業による不良発生を防止し品質を均一に維持することができる。
【０００９】
また、本発明の同軸コネクタはＲＦスイッチ回路を切り換るスイッチング機構の可動端子が下部ハウジングに固定された固定部で水平方向について９０°より小さい第１曲げ角に上向きに傾斜して延びて下部ハウジングに成形された湾曲部と、前記湾曲部の先端で再び水平方向について前記第１曲げ角より小さい第１曲げ角でベンディングされ前記絶縁ハウジングの空間部に露出されるよう延びて固定端子と弾力的に接する弾性片とからなる。
【００１０】
前記本発明の同軸コネクタの可動端子は鋭角でベンディングされているので、同軸プラグの中心導体によって加圧される時受ける応力が相対的に小さくて塑性変形を引き起こさないため、長期間使用しても固定端子との接触不良を引き起こさない。
【発明の効果】
【００１１】
本発明に係る同軸コネクタはハウジングの射出成形時可動端子と固定端子がインサート成形でハウジングに設けられハウジングと端子との間に間隙が発生しないため回路基板に実装する際フラックスが端子とハウジングの間隙に流入される恐れがなくてフラックスの流入による不良を防止することができる。
【００１２】
そして、端子をハウジングに設けるのに別の組立工程を必要としなくて組立生産性を向上させられ、未熟練者の組立作業による不良発生を防止し品質を均一に維持できる。また、可動端子が鋭角でベンディングされているので同軸プラグの中心導体によって加圧される時受ける応力が相対的に小さくて塑性変形を引き起こさないため、長期間使用しても固定端子との接触不良を引き起こさない。
【発明を実施するための最良の形態】
【００１３】
以下、添付した図面に基づき本発明に係る同軸コネクタの実施例を詳述する。図２は本発明に係る同軸コネクタの分解斜視図であり、図３は本発明に係る同軸コネクタの結合断面図である。これら図面に示されているように、本発明に係る同軸コネクタ１はハウジング１０と、ハウジング１０の外側に被覆された外部導体１７と、携帯電話のような通信端末機の回路基板に設けられたＲＦ信号回路を切り換るスイッチング機構２０よりなる。
【００１４】
前記ハウジング１０は互いに組立てられて概略円筒形をなす上部ハウジング１１と下部ハウジング１２とからなる。前記上部ハウジング１１は図２及び図４に示された同軸プラグの中心導体(Ｐ)の挿入される孔１３が中心軸方向に貫通された上部絶縁体１４と、該上部絶縁体１４の一側側壁から長手方向に沿って下方に延びて中央内側に空間部１５を形成するスカート部１６よりなり、前記上部絶縁体１４の外周縁には外部導体１７が覆われて同軸プラグの外部導体と接続する。
【００１５】
前記上部ハウジング１１の下方で上部ハウジング１１と同軸に結合される下部ハウジング１２は、図２及び図５に示したように、前記回路基板２に密着するベース部１８と、前記上部ハウジング１１のスカート部１６と共に前記空間部１５を取り囲む環状の側壁を形成するよう前記ベース部１８から長手方向の上方に延びた側壁部１９よりなる。
【００１６】
前記上部ハウジング１１にはスイッチング機構の固定端子２１が挿設される。前記固定端子２１は金属薄板を図６に示したように折り曲げて上部ハウジング１１の射出成形時インサート成形で上部ハウジング１１内に組立てられる。前記固定端子２１は上部ハウジング１１のスカート部１６に埋め込まれた胴体部２２と、前記胴体部２２の一側先端で概略水平方向にベンディングされて上部ハウジング１１の内側空間部１５の上部に露出される接触端２３と、前記胴体部２２の下端で水平方向に延び、胴体部２２の底面の外側に露出され回路基板２に半田つけで接合されるフット部２４よりなる。
【００１７】
前記下部ハウジング１２にはスイッチング機構２０の可動端子２５が下部ハウジング１２の射出成形時インサート成形で挿設される。前記可動端子２５は図６に示したように、下部ハウジング１２が金型で射出成形される際ベース部１８に概略水平方向にインサート成形され固定されベース部１８の底面に沿って外側に露出され回路基板上の回路に接合される固定部２６と、該固定部２６で水平方向について９０°より小さい第１曲げ角(α１)に上向きに傾斜して延びて下部ハウジング１２の側壁部１９に成形された湾曲部２７と、該湾曲部２７の先端で水平方向について前記第１曲げ角(α１)より小さい第２曲げ角(α２)でベンディングされ前記ハウジング１０の空間部１５内に露出されるよう延びて前記上部ハウジング１１に設けられた固定端子２１と弾力的に接する弾性片２８よりなる。
【００１８】
前記上部ハウジング１１は下部ハウジング１２の上側で同軸に結合され、図２及び図３に示したように略円筒形のハウジングを形成する。この状態で同軸プラグの中心導体(Ｐ)がハウジング１０の孔１３に挿入され可動端子２５の弾性片２８を下方に加圧すれば前記弾性片２８は固定端子２１の接触端２から分離され回路を断続させ、この状態で同軸プラグを本発明の同軸コネクタから分離すれば中心導体(Ｐ)によって加圧されていた可動端子２５の弾性片２８は自体の弾性力によって元の位置に復元して再び固定端子２１の接触端２３と接し、よって回路は連結される。
【００１９】
前記可動端子２５の弾性片２８には図２及び図６に示したように、固定端子２１の接触端２３と点接触するよう尖って成形された接触突起２９が形成されている。
【産業上の利用可能性】
【００２０】
本発明の同軸コネクタは携帯電話などのような小型通信端末機の回路基板に表面実装されＲＦ回路検査時同軸プラグが挿入されればＲＦ回路を断続するＲＦスイッチを備えた同軸コネクタである。
【図面の簡単な説明】
【００２１】
【図１】従来の同軸コネクタの結合断面図、
【図２】本発明に係る同軸コネクタの分離斜視図、
【図３】本発明に係る同軸コネクタの結合断面図、
【図４】本発明に係る同軸コネクタの上部ハウジングに対する断面図、
【図５】本発明に係る同軸コネクタの下部ハウジングに対する断面図、
【図６】本発明に係る同軸コネクタのスイッチング機構を分離して示した斜視図。
【符号の説明】
【００２２】
１  同軸コネクタ
２  回路基板
１０  ハウジング
１１  上部ハウジング
１２  下部ハウジング
１３  孔
１４  上部絶縁体
１５  空間部
１６  スカート部
１７外部導体
１８ベース部
１９  側壁部
２０  スイッチング機構
２１  固定端子
２２  胴体部
２３  接触端
２４  フット部
２５  可動端子
２６  固定部
２７  湾曲部
２８  弾性片
２９  接触突起
【図１】
2006032307.tif 000003
【図２】
2006032307.tif 000004
【図３】
2006032307.tif 000005
【図４】
2006032307.tif 000006
【図５】
2006032307.tif 000007
【図６】
2006032307.tif 000008